(57)【要約】      （修正有）【課題】複数のネットワークサービスのうちユーザ毎に利用頻度の低いネットワークサービスまたは使用日時の古いネットワークサービスの利用を向上させることが可能なネットワーク機能付き映像受信機を提供する。【解決手段】液晶テレビジョン装置（ネットワーク機能付き映像受信機）は、ネットワークに接続され、ネットワークを介して外部のサービス業者による７つのネットワークサービスＡ〜Ｇの提供を受けるための通信を行うことが可能なネットワーク通信部と、７つのネットワークサービスＡ〜Ｇに対するユーザの使用回数または使用日時に基づいて、７つのネットワークサービスＡ〜Ｇのうち使用回数の少ない順または使用日時の古い順に表示されるサービスメニュー画面１ａを表示部１に表示させるように制御する制御部とを備える。【選択図】図４
2011234219.tif 000002
【特許請求の範囲】
【請求項１】
ネットワークに接続され、前記ネットワークを介して外部のサービス業者による複数のネットワークサービスの提供を受けるための通信を行うことが可能な通信部と、
少なくとも前記複数のネットワークサービスに対するユーザの使用回数または使用日時に基づいて、前記複数のネットワークサービスの少なくとも一部が使用回数の少ない順または使用日時の古い順に表示されるサービスメニュー画面を表示部に表示させるように制御する制御部とを備える、ネットワーク機能付き映像受信機。
【請求項２】
前記制御部は、前記複数のネットワークサービスを、第１のしきい値よりも使用回数が少ない第１のグループと、使用回数が前記第１のしきい値以上である第２のグループとに少なくとも分けるとともに、前記第１のグループに属する前記ネットワークサービスをユーザの使用回数の少ない順に前記表示部に表示させるように構成されている、請求項１に記載のネットワーク機能付き映像受信機。
【請求項３】
前記制御部は、前記第２のグループに属する前記ネットワークサービスをユーザの使用日時の古い順に前記表示部に表示させるように構成されている、請求項２に記載のネットワーク機能付き映像受信機。
【請求項４】
前記制御部は、前記複数のネットワークサービスを、前記第１のグループおよび前記第２のグループに分けるのに加えて、使用回数が前記第１のしきい値よりも大きい第２のしきい値以上である第３のグループに分けるとともに、前記第３のグループに属する前記ネットワークサービスをユーザの使用回数または使用日時に関わらずランダムに前記表示部に表示させるように構成されている、請求項２または３に記載のネットワーク機能付き映像受信機。
【請求項５】
前記制御部は、前記第１のグループに属する前記ネットワークサービスが存在するか否かを判断して前記第１のグループに属する前記ネットワークサービスが存在すると判断した場合には、少なくとも前記第１のグループに属する前記ネットワークサービスをユーザの使用回数の少ない順に並べた優先表示サービス配列を作成して、前記優先表示サービス配列に従って前記ネットワークサービスをユーザの使用回数の少ない順に前記表示部に表示させるように構成されている、請求項２〜４のいずれか１項に記載のネットワーク機能付き映像受信機。
【請求項６】
前記制御部は、前記第１および前記第２のグループに属する前記ネットワークサービスが存在するか否かを判断して前記第１および前記第２のグループに属する前記ネットワークサービスが存在すると判断した場合には、前記第１のグループに属する前記ネットワークサービスをユーザの使用回数の少ない順に並べた後に、前記第２のグループに属する前記ネットワークサービスをユーザの使用日時の古い順に並べた前記優先表示サービス配列を作成して、前記優先表示サービス配列に従って前記ネットワークサービスを前記表示部に表示させるように構成されている、請求項５に記載のネットワーク機能付き映像受信機。
【請求項７】
前記制御部は、前記第１のグループに属する前記ネットワークサービスが存在するか否かを判断して前記第１のグループに属する前記ネットワークサービスが存在しないと判断した場合には、前記第２のグループに属する前記ネットワークサービスの使用日時の古い順に並べた前記優先表示サービス配列を作成して、前記優先表示サービス配列に従って前記ネットワークサービスをユーザの使用日時の古い順に前記表示部に表示させるように構成されている、請求項５または６に記載のネットワーク機能付き映像受信機。
【請求項８】
前記制御部は、前記表示部に表示される前記サービスメニュー画面に前記複数のネットワークサービスを一覧表示させるように構成されており、前記複数のネットワークサービスに対するユーザの使用回数の少ない順または使用日時の古い順に前記サービスメニュー画面の先頭から一覧表示させるように構成されている、請求項１〜７のいずれか１項に記載のネットワーク機能付き映像受信機。
【請求項９】
前記制御部は、前記複数のネットワークサービスのうち最もユーザの使用回数が少ない前記ネットワークサービスを前記サービスメニュー画面の先頭に表示させた後に、ユーザの操作により前記サービスメニュー画面が表示される毎に前記複数のネットワークサービスのうち次にユーザの使用回数が少ない前記ネットワークサービスを順次前記サービスメニュー画面の先頭に表示させるように構成されている、請求項８に記載のネットワーク機能付き映像受信機。
【請求項１０】
前記制御部は、前記複数のネットワークサービスのうちユーザの使用回数が所定の回数よりも少ない場合には、前記所定の回数より使用回数の少ないネットワークサービスを使用回数の少ない順に前記表示部に表示させるように構成されている、請求項１〜９のいずれか１項に記載のネットワーク機能付き映像受信機。
【請求項１１】
前記ネットワークサービスの使用回数および使用日時を記憶させるための記憶部をさらに備え、
前記制御部は、前記複数のネットワークサービスの各々がユーザにより使用される毎に、前記使用されたネットワークサービス毎に使用回数を加算し、かつ、使用日時を更新して前記記憶部に記憶させるように構成されている、請求項１〜１０のいずれか１項に記載のネットワーク機能付き映像受信機。
【発明の詳細な説明】
【技術分野】
【０００１】
この発明は、ネットワーク機能付き映像受信機に関し、特に、複数のネットワークサービスの提供を受けるための通信を行うことが可能なネットワーク機能付き映像受信機に関する。
【背景技術】
【０００２】
従来、複数のネットワークサービスの提供を受けるための通信を行うことが可能なネットワーク機能付き映像受信機が知られている（たとえば、特許文献１および２参照）。
【０００３】
上記特許文献１には、広告情報や地図情報（ネットワークサービス）を保持している広告情報提供サーバと、広告情報提供サーバからネットワークを介して広告情報や地図情報の提供を受けることが可能な端末装置（ネットワーク機能付き映像受信機）とを備える広告情報提供システムが開示されている。この広告情報提供システムでは、ユーザが端末装置の操作を行うことにより広告情報や地図情報の提供を要求することによって、広告情報提供サーバから広告情報や地図情報を受信（利用）可能に構成されている。そして、広告情報提供サーバが保持している広告情報や地図情報の表示回数情報に基づいて、広告情報や地図情報の表示回数の少ない順に端末装置の表示部に表示されるように構成されている。なお、広告情報や地図情報を使用日時の新しい順に表示するのかまたは古い順に表示するのかについては、記載されていない。
【０００４】
また、上記特許文献２には、広告情報（ネットワークサービス）を保持しているサーバと、サーバからネットワークを介して広告情報の提供を受けることが可能な端末装置（ネットワーク機能付き映像受信機）とを備える広告配信システムが開示されている。この広告配信システムでは、ユーザが端末装置の操作を行うことにより広告情報の提供を要求することによって、サーバから広告情報を配信（利用）可能に構成されている。そして、サーバが保持している広告情報の配信回数を表す配信回数パラメータに基づいて、配信回数の最も少ない広告情報が端末装置の表示部に表示されるように構成されている。なお、広告情報を使用日時の新しい順に表示するのかまたは古い順に表示するのかについては、記載されていない。
【先行技術文献】
【特許文献】
【０００５】
【特許文献１】特開２００９−１４５９３５号公報
【特許文献２】特開２００３−３２３５６９号公報
【発明の概要】
【発明が解決しようとする課題】
【０００６】
しかしながら、上記特許文献１では、広告情報提供サーバが保持しているユーザ全体の広告情報や地図情報の表示回数情報に基づいて、広告情報や地図情報が広告情報や地図情報の表示回数の少ない順に表示されるため、ユーザ毎の利用状況に基づいて広告情報や地図情報（ネットワークサービス）が表示されないという不都合がある。このため、ユーザ毎に利用頻度の低い広告情報や地図情報（ネットワークサービス）または使用日時の古い広告情報や地図情報の利用を向上させることが困難であるという問題点がある。
【０００７】
また、上記特許文献２では、サーバが保持しているユーザ全体に対する広告情報の配信回数パラメータに基づいて配信回数の最も少ない広告情報が表示されるため、ユーザ毎の利用状況に基づいた広告情報が表示されないという不都合がある。このため、特許文献２では、上記特許文献１と同様、ユーザ毎に利用頻度の低い広告情報（ネットワークサービス）または使用日時の古い広告情報の利用を向上させることが困難であるという問題点がある。
【０００８】
この発明は、上記のような課題を解決するためになされたものであり、この発明の１つの目的は、複数のネットワークサービスのうちユーザ毎に利用頻度の低いネットワークサービスまたは使用日時の古いネットワークサービスの利用を向上させることが可能なネットワーク機能付き映像受信機を提供することである。
【課題を解決するための手段および発明の効果】
【０００９】
この発明の一の局面によるネットワーク機能付き映像受信機は、ネットワークに接続され、ネットワークを介して外部のサービス業者による複数のネットワークサービスの提供を受けるための通信を行うことが可能な通信部と、少なくとも複数のネットワークサービスに対するユーザの使用回数または使用日時に基づいて、複数のネットワークサービスの少なくとも一部が使用回数の少ない順または使用日時の古い順に表示されるサービスメニュー画面を表示部に表示させるように制御する制御部とを備える。
【００１０】
この一の局面によるネットワーク機能付き映像受信機では、上記のように、制御部を少なくとも複数のネットワークサービスに対するユーザの使用回数または使用日時に基づいて、複数のネットワークサービスの少なくとも一部が使用回数の少ない順または使用日時の古い順に表示されるサービスメニュー画面を表示部に表示させるように構成することによって、複数のネットワークサービスのうち利用頻度が低いと考えられる使用回数の少ないネットワークサービスまたはユーザが最近使用していないと考えられる使用日時の古いネットワークサービスを目立つように表示部に表示させることができるので、使用回数の少ないネットワークサービスまたは使用日時の古いネットワークサービスの認知度を向上させることができる。これにより、使用回数の少ないネットワークサービスまたは使用日時の古いネットワークサービスが選択されやすくなるので、ユーザの利用頻度が低いと考えられる使用回数の少ないネットワークサービスまたはユーザが最近使用していないと考えられる使用日時の古いネットワークサービスの利用を向上させることができる。
【００１１】
上記一の局面によるネットワーク機能付き映像受信機において、好ましくは、制御部は、複数のネットワークサービスを、第１のしきい値よりも使用回数が少ない第１のグループと、使用回数が第１のしきい値以上である第２のグループとに少なくとも分けるとともに、第１のグループに属するネットワークサービスをユーザの使用回数の少ない順に表示部に表示させるように構成されている。このように構成すれば、ユーザの利用頻度が低いと考えられる使用回数の少ない第１のグループに属するネットワークサービスのうち最も利用頻度が低いと考えられる最も使用回数の少ないネットワークサービスを目立つように表示部に表示させることができるので、最も利用頻度が低いと考えられる最も使用回数の少ないネットワークサービスの認知度を向上させることができる。
【００１２】
この場合、好ましくは、制御部は、第２のグループに属するネットワークサービスをユーザの使用日時の古い順に表示部に表示させるように構成されている。このように構成すれば、ユーザの使用日時の古い第２のグループに属するネットワークサービスのうち最も使用していないと考えられる最も使用日時の古いネットワークサービスを目立つように表示部に表示させることができるので、ユーザが最も使用していないと考えられる最も使用日時の古いネットワークサービスの認知度を向上させることができる。
【００１３】
上記複数のネットワークサービスを第１のグループと第２のグループとに少なくとも分けられるネットワーク機能付き映像受信機において、好ましくは、制御部は、複数のネットワークサービスを、第１のグループおよび第２のグループに分けるのに加えて、使用回数が第１のしきい値よりも大きい第２のしきい値以上である第３のグループに分けるとともに、第３のグループに属するネットワークサービスをユーザの使用回数または使用日時に関わらずランダムに表示部に表示させるように構成されている。このように構成すれば、第３のグループに属するネットワークサービスの各々に優先順位をつけることなく表示部に表示させることができる。
【００１４】
上記複数のネットワークサービスを第１のグループと第２のグループとに少なくとも分けられるネットワーク機能付き映像受信機において、好ましくは、制御部は、第１のグループに属するネットワークサービスが存在するか否かを判断して第１のグループに属するネットワークサービスが存在すると判断した場合には、少なくとも第１のグループに属するネットワークサービスをユーザの使用回数の少ない順に並べた優先表示サービス配列を作成して、優先表示サービス配列に従ってネットワークサービスをユーザの使用回数の少ない順に表示部に表示させるように構成されている。このように構成すれば、優先表示サービス配列を用いることにより、容易に第１のグループに属するネットワークサービスのうち最も利用頻度が低いと考えられる最も使用回数の少ないネットワークサービスを目立つように表示部に表示させることができる。
【００１５】
この場合、好ましくは、制御部は、第１および第２のグループに属するネットワークサービスが存在するか否かを判断して第１および第２のグループに属するネットワークサービスが存在すると判断した場合には、第１のグループに属するネットワークサービスをユーザの使用回数の少ない順に並べた後に、第２のグループに属するネットワークサービスをユーザの使用日時の古い順に並べた優先表示サービス配列を作成して、優先表示サービス配列に従ってネットワークサービスを表示部に表示させるように構成されている。このように構成すれば、優先表示サービス配列を用いることにより、容易に、第１のグループに属するネットワークサービスを使用回数の少ない順に並べた後に、第２のグループに属するネットワークサービスをユーザが最近使用していないと考えられる使用日時の古い順に並べて表示部に表示させることができる。
【００１６】
上記第１のグループに属するネットワークサービスが存在するか否かを判断するネットワーク機能付き映像受信機において、好ましくは、制御部は、第１のグループに属するネットワークサービスが存在するか否かを判断して第１のグループに属するネットワークサービスが存在しないと判断した場合には、第２のグループに属するネットワークサービスの使用日時の古い順に並べた優先表示サービス配列を作成して、優先表示サービス配列に従ってネットワークサービスをユーザの使用日時の古い順に表示部に表示させるように構成されている。このように構成すれば、優先表示サービス配列を用いることにより、容易に第２のグループに属するネットワークサービスのうちユーザが最も使用していないと考えられる最も使用日時の古いネットワークサービスを目立つように表示部に表示させることができる。
【００１７】
上記一の局面によるネットワーク機能付き映像受信機において、好ましくは、制御部は、表示部に表示されるサービスメニュー画面に複数のネットワークサービスを一覧表示させるように構成されており、複数のネットワークサービスに対するユーザの使用回数の少ない順または使用日時の古い順にサービスメニュー画面の先頭から一覧表示させるように構成されている。このように構成すれば、複数のネットワークサービスのうち最も使用回数の少ないネットワークサービスまたは最も使用日時の古いネットワークサービスがサービスメニュー画面の先頭に表示されるので、複数のネットワークサービスのうち最も利用頻度が低いと考えられる使用回数の少ない方のネットワークサービスまたはユーザが最も使用していないと考えられる使用日時の古い方のネットワークサービスが目立つように表示部に表示させることができる。
【００１８】
この場合、好ましくは、制御部は、複数のネットワークサービスのうち最もユーザの使用回数が少ないネットワークサービスをサービスメニュー画面の先頭に表示させた後に、ユーザの操作によりサービスメニュー画面が表示される毎に複数のネットワークサービスのうち次にユーザの使用回数が少ないネットワークサービスを順次サービスメニュー画面の先頭に表示させるように構成されている。このように構成すれば、複数のネットワークサービスのうち最もユーザの使用回数が少ないネットワークサービスのみならず、複数のネットワークサービスのうち次にユーザの使用回数が少ないネットワークサービスも目立つように表示部に表示させることができる。
【００１９】
上記一の局面によるネットワーク機能付き映像受信機において、好ましくは、制御部は、複数のネットワークサービスのうちユーザの使用回数が所定の回数よりも少ない場合には、所定の回数より使用回数の少ないネットワークサービスを使用回数の少ない順に表示部に表示させるように構成されている。このように構成すれば、特に使用回数の少ない場合にネットワークサービスを目立つように表示部に表示させることができる。
【００２０】
上記一の局面によるネットワーク機能付き映像受信機において、好ましくは、ネットワークサービスの使用回数および使用日時を記憶させるための記憶部をさらに備え、制御部は、複数のネットワークサービスの各々がユーザにより使用される毎に、使用されたネットワークサービス毎に使用回数を加算し、かつ、使用日時を更新して記憶部に記憶させるように構成されている。このように構成すれば、記憶部に記憶されるネットワークサービスの各々の使用回数および使用日時に基づいて、複数のネットワークサービスをユーザの利用頻度が低いと考えられる使用回数の少ない順に並べるとともに、複数のネットワークサービスをユーザが最近使用していないと考えられる使用日時の古い順に並べて表示部に表示させることができる。
【図面の簡単な説明】
【００２１】
【図１】本発明の一実施形態による液晶テレビジョン装置およびリモコンを示す模式図である。
【図２】本発明の一実施形態による液晶テレビジョン装置およびリモコンを示すブロック図である。
【図３】本発明の一実施形態による液晶テレビジョン装置の表示部に表示されるサービスメニュー画面を示す図である。
【図４】本発明の一実施形態による液晶テレビジョン装置の表示部に表示されるサービスメニュー画面を示す図である。
【図５】本発明の一実施形態による優先表示サービス配列テーブルの内容を示す図である。
【図６】本発明の一実施形態によるユーザによるネットワークサービス使用時の制御部の制御処理フローを示すフローチャートである。
【図７】本発明の一実施形態によるサービスメニュー画面を表示させる際の制御部の制御処理フローを示すフローチャートである。
【図８】本発明の一実施形態の変形例による液晶テレビジョン装置、ＳＴＢ（Ｓｅｔ  Ｔｏｐ  Ｂｏｘ）およびリモコンを示すブロック図である。
【発明を実施するための形態】
【００２２】
以下、本発明を具体化した実施形態を図面に基づいて説明する。
【００２３】
図１〜図５を参照して、本発明の一実施形態による映像出力システム１００の構成について説明する。
【００２４】
本実施形態による映像出力システム１００は、図１に示すように、表示部１を含む液晶テレビジョン装置２００と、液晶テレビジョン装置２００の表示部１に表示される後述するサービスメニュー画面１ａを操作するためのリモコン３００とを含んでいる。なお、液晶テレビジョン装置２００は、本発明の「ネットワーク機能付き映像受信機」の一例である。また、液晶テレビジョン装置２００は、リモコン３００と赤外線通信を行うための赤外線受光部２と、音声を発生させるスピーカ部３とを含んでいる。
【００２５】
図２に示すように、液晶テレビジョン装置２００は、液晶テレビジョン装置２００全体の制御を司る制御部４を含む。制御部４は、バス（伝送路）５を介して赤外線受光部２と、外部入力端子６と、インターネットなどのネットワークを介して外部のサービス業者による複数のネットワークサービスの提供を受けるための通信を行うためのネットワーク通信部７と、アンテナ８を介して放送局から配信されるデジタルテレビジョン放送信号を受信するための受信部９と、ＡＶセレクタ１０と、ＡＶデコーダ１１と、音声処理部１２と、映像処理部１３と、ネットワークサービスの使用回数および使用日時を記憶させるためのメモリ部１４とに接続されている。なお、本実施形態では、複数のネットワークサービスは、ユーザが様々な映像コンテンツを視聴することが可能なネットワークサービスであるＶＯＤ（Ｖｉｄｅｏ  Ｏｎ  Ｄｅｍａｎｄ）や、通信販売などのサービスを提供することが可能な７つのネットワークサービスＡ、Ｂ、Ｃ、Ｄ、Ｅ、ＦおよびＧとする。また、メモリ部１４は、本発明の「記憶部」の一例であり、ネットワーク通信部７は、本発明の「通信部」の一例である。
【００２６】
また、液晶テレビジョン装置２００内の各部分は、バス（伝送路）５によって互いに接続されることによって、制御信号および制御上のデータを互いに通信することが可能に構成されている。また、外部入力端子６、ネットワーク通信部７および受信部９は、映像および音声信号の入出力を切り替える機能を有するＡＶセレクタ１０に接続されている。
【００２７】
また、ＡＶセレクタ１０は、受信部９からの映像・音声信号をデコード（復号）するためのＡＶデコーダ１１に接続されている。ＡＶデコーダ１１は、ＡＶセレクタ１０によって分離された映像信号および音声信号のそれぞれに対してデコード処理（符号の復号化）を行い、映像データおよび音声データを生成する機能を有する。
【００２８】
また、ＡＶデコーダ１１は、ＡＶデコーダ１１からの音声信号を処理する音声処理部１２と、ＡＶデコーダ１１からの映像信号の各種処理を行う映像処理部１３とに接続されている。音声処理部１２は、制御部４の制御により、Ｄ／Ａ変換処理（デジタル／アナログ変換処理）を施した上で、デジタルテレビジョン放送の番組などの音声をスピーカ部３に出力する機能を有している。また、映像処理部１３は、表示部１に接続されている。
【００２９】
ここで、本実施形態では、表示部１には、図３に示すように、ユーザのリモコン３００の操作に基づいてサービスメニュー画面１ａが表示されるように構成されている。サービスメニュー画面１ａは、７つのネットワークサービスＡ、Ｂ、Ｃ、Ｄ、Ｅ、ＦおよびＧの各々に対応するアイコン１ｂが一覧表示される画面である。また、サービスメニュー画面１ａは、７つのネットワークサービスＡ〜Ｇに対するユーザの使用回数の少ない順または使用日時の古い順にサービスメニュー画面１ａの先頭（サービスメニュー画面１ａの左上）からアイコン１ｂが一覧表示されるように構成されている。なお、ユーザのネットワークサービスの使用回数は、ネットワークサービスＡが最も少なく、ネットワークサービスＢ、Ｃ、Ｄ、Ｅ、Ｆ、Ｇの順番に使用回数が多い。
【００３０】
また、サービスメニュー画面１ａは、リモコン３００を操作することにより、ネットワークサービスＡ〜Ｇのうちいずれかを選択する操作および決定する操作が可能である。また、サービスメニュー画面１ａの操作時に、７つのネットワークサービスＡ〜Ｇのうち選択されているネットワークサービスＡのアイコン１ｂには、アイコン１ｂを取り囲むようにカーソル１ｃが表示される。
【００３１】
また、図２に示すように、メモリ部１４は、ユーザがサービスメニュー画面１ａに表示される７つのネットワークサービスＡ〜Ｇのうちいずれかに対応するアイコン１ｂが決定操作（使用）される毎に、使用されたネットワークサービスＡ〜Ｇ毎に使用回数を１回分加算し、かつ、使用日時を更新して記憶されるように構成されている。そして、メモリ部１４に記憶されるユーザの使用回数および使用日時は、図５に示すように、ネットワークサービスＡ〜Ｇの各々に対応付けられて優先表示サービス配列テーブル１４ａとしてメモリ部１４に記憶されるように構成されている。なお、優先表示サービス配列テーブル１４ａは、本発明の「優先表示サービス配列」の一例である。
【００３２】
また、７つのネットワークサービスＡ〜Ｇは、７つのネットワークサービスＡ〜Ｇのうちユーザの最も使用回数の多いネットワークサービスＧを基準として３つのグループ（グループ１、グループ２およびグループ３）に分けられるように構成されている。具体的には、最も使用回数の多いネットワークサービス（サービスＧ）を使用比率１００％とした場合に、使用比率が０％以上２０％未満のネットワークサービスをグループ１（ほとんど使用されていないネットワークサービス）、使用比率が２０％以上８０％未満のネットワークサービスをグループ２（通常に使用されているネットワークサービス）、使用比率が８０％以上１００％以下のネットワークサービスをグループ３（頻繁に使用されているネットワークサービス）の３つのグループに分けられるように構成されている。なお、グループ１は、本発明の「第１のグループ」の一例であり、グループ２は、本発明の「第２のグループ」の一例であり、グループ３は、本発明の「第３のグループ」の一例である。また、最も使用回数の多いネットワークサービスＧを使用比率１００％とした場合の２０％の使用比率は、本発明の「第１のしきい値」の一例であり、８０％の使用比率は、本発明の「第２のしきい値」の一例である。
【００３３】
つまり、７つのネットワークサービスＡ〜ＧのうちネットワークサービスＡ（使用比率が１２％）、Ｂ（使用比率が１５％）およびＣ（使用比率が１８％）の３つは、グループ１（ほとんど使用されていないネットワークサービス）となり、ネットワークサービスＤ（使用比率が６０％）およびＥ（使用比率が６０％）の２つは、グループ２（通常に使用されているネットワークサービス）となり、ネットワークサービスＦ（使用比率が９０％）およびＧ（使用比率が１００％）の２つは、グループ３（頻繁に使用されているネットワークサービス）となる。
【００３４】
また、グループ１（ほとんど使用されていないネットワークサービス）のネットワークサービスＡ〜Ｃは、ユーザの使用回数の少ない順（サービスＡ（使用回数が１２回）、サービスＢ（使用回数が１５回）、サービスＣ（使用回数が１８回）の順番）に並べられて優先表示サービス配列テーブル１４ａが作成され、優先表示サービス配列テーブル１４ａの内容に従ってネットワークサービスＡ、Ｂ、Ｃの順に表示部１に表示されるように構成されている。
【００３５】
また、ユーザの操作によりサービスメニュー画面１ａが表示される毎に、グループ１に属する３つのネットワークサービスＡ〜Ｃの各々は、サービスメニュー画面１ａの先頭（サービスメニュー画面１ａの左上）に切り替わるように表示されるように構成されている。具体的には、最初にグループ１の３つのネットワークサービスＡ〜Ｃのうち最もユーザの使用回数が少ないネットワークサービスＡをサービスメニュー画面の先頭（サービスメニュー画面１ａの左上）に表示させた後に、ユーザの操作によりサービスメニュー画面１ａが表示された際に３つのネットワークサービスＡ〜Ｃのうち次にユーザの使用回数が少ないネットワークサービスＢがサービスメニュー画面１ａの先頭に表示されるように構成されている。
【００３６】
つまり、ネットワークサービスＡ、Ｂ、Ｃの順番で表示させた後に、次に、ユーザの操作によりサービスメニュー画面１ａが表示される際には、図４に示すように、ネットワークサービスＢ、Ｃ、Ａの順に表示されるように構成されている。さらに、ユーザの操作によりサービスメニュー画面１ａが表示される際には、ネットワークサービスＣ、Ａ、Ｂの順に表示されるように構成されている。
【００３７】
また、グループ２（通常に使用されているネットワークサービス）のネットワークサービスＤおよびＥは、ユーザの使用日時の古い順（ネットワークサービスＤ（使用日時が２００９年１２月１０日）、ネットワークサービスＥ（使用日時が２０１０年３月２０日））に並べられて優先表示サービス配列テーブル１４ａが作成され、優先表示サービス配列テーブル１４ａの内容に従ってネットワークサービスＤ、Ｅの順に表示部１に表示されるように構成されている。
【００３８】
また、グループ３（頻繁に使用されているネットワークサービス）のネットワークサービスＦおよびＧは、ユーザの使用回数または使用日時に関わらず優先順位をつけず（ランダム）に表示部１に表示されるように構成されている。つまり、ネットワークサービスＦ、ネットワークサービスＧの順に表示される場合や、ネットワークサービスＧ、ネットワークサービスＦの順に表示される場合がある。
【００３９】
また、図１に示すように、リモコン３００は、リモコン操作時の信号を液晶テレビジョン装置２００の赤外線受光部２に送信するための赤外線発光部３０１と、液晶テレビジョン装置２００の電源をオン／オフするための電源ボタン３０２と、複数のチャンネル選択用ボタン３０３と、液晶テレビジョン装置２００の表示部１に表示されるサービスメニュー画面１ａ（図３参照）の表示内容の選択操作するための十字キー状の４つの選択ボタン３０４ａおよび決定操作を行うための決定ボタン３０４ｂと、音量調節用ボタン３０５と、チャンネルアップ／ダウンボタン３０６とを含んでいる。
【００４０】
また、図２に示すように、リモコン３００は、リモコン３００全体の制御を司る制御部３０７を含む。制御部３０７は、赤外線発光部３０１と、選択ボタン３０４ａおよび決定ボタン３０４ｂとに接続されている。
【００４１】
次に、図１〜図３および図５を参照して、ユーザによるネットワークサービスの使用（決定操作）時の液晶テレビジョン装置２００の制御部４の制御処理フローについて説明する。
【００４２】
まず、ステップＳ１１において、ユーザがリモコン３００の選択ボタン３０４ａおよび決定ボタン３０４ｂを用いてメインメニュー（図示せず）において、サービスメニューを選択決定した操作に基づいて、７つのネットワークサービスＡ〜Ｇの各々に対応するアイコン１ｂを含むサービスメニュー画面１ａ（図３参照）が表示部１に表示される。そして、ステップＳ１２において、７つのネットワークサービスＡ〜Ｇのうちいずれかがユーザがリモコン３００の選択ボタン３０４ａおよび決定ボタン３０４ｂ（図１参照）を操作することにより、使用（決定操作）されたか否かが判断される。
【００４３】
ステップＳ１２において、７つのネットワークサービスＡ〜Ｇのうちいずれかが使用（決定操作）されていないと判断された場合には、この判断が繰り返される。また、ステップＳ１２において、７つのネットワークサービスＡ〜Ｇのうちいずれかが使用（決定操作）されたと判断された場合には、ステップＳ１３に進む。
【００４４】
次に、ステップＳ１３において、ユーザにより決定操作された７つのネットワークサービスＡ〜Ｇのうちユーザにより決定操作されたネットワークサービス毎に使用回数が１回分加算され、かつ、使用日時を更新してメモリ部１４（図２参照）に記憶される。そして、上記ステップＳ１１〜ステップＳ１３の動作が繰り返されることにより、ネットワークサービスＡ〜Ｇ毎の使用回数と使用日時とが繰り返しメモリ部１４に記憶される。
【００４５】
次に、図３、図５および図７を参照して、サービスメニュー画面１ａを表示させる際の液晶テレビジョン装置２００の制御部４の制御処理フローについて説明する。
【００４６】
まず、ステップＳ２１において、優先表示サービス配列テーブル１４ａが既に作成されているか否かが判断される。ステップＳ２１において、たとえば、ユーザが液晶テレビジョン装置２００を新規に購入して液晶テレビジョン装置２００を最初に使用する場合には、優先表示サービス配列テーブル１４ａが作成されていないので、優先表示サービス配列テーブル１４ａが作成されていないと判断され、ステップＳ２３に進む。
【００４７】
また、ステップＳ２１において、優先表示サービス配列テーブル１４ａが作成されていると判断された場合には、ステップＳ２２に進み、優先表示サービス配列テーブル１４ａのグループ１に属する３つのネットワークサービスＡ〜Ｃの各々がサービスメニュー画面１ａの先頭（サービスメニュー画面１ａの左上）に表示されたか（一巡したか）否かが判断される。
【００４８】
ステップＳ２２において、優先表示サービス配列テーブル１４ａのグループ１に属する３つのネットワークサービスＡ〜Ｃの各々がサービスメニュー画面１ａの先頭（サービスメニュー画面１ａの左上）に表示された（一巡した）と判断された場合には、ステップＳ２３に進んで、優先表示サービス配列テーブル１４ａが再び作り直される（更新される）。
【００４９】
そして、ステップＳ２３において、メモリ部１４に記憶されているネットワークサービスＡ〜Ｇのうち「ほとんど使用されていないネットワークサービス（グループ１）」が存在するか（メモリ部１４に記憶されているか）否かが判断される。具体的には、最も使用回数の多いネットワークサービス（サービスＧ）を使用比率１００％とした場合に、使用比率が０％以上２０％未満のネットワークサービスが存在するか否かが判断される。そして、ステップＳ２３において、「ほとんど使用されていないネットワークサービス（グループ１）」が存在する（メモリ部１４に記憶されている）と判断された場合には、ステップＳ２４に進み、「ほとんど使用されていないネットワークサービス（グループ１）」を使用回数の少ない順に並べて優先表示サービス配列テーブル１４ａ（図５参照）が作成される。本実施形態では、グループ１に属する３つのネットワークサービスＡ〜Ｃが使用回数の少ない順にネットワークサービスＡ、Ｂ、Ｃの順に並べられる。そして、ステップＳ２５に進む。
【００５０】
また、ステップＳ２３において、「ほとんど使用されていないネットワークサービス（グループ１）」が存在しない（メモリ部１４に記憶されていない）と判断された場合には、ステップＳ２５に進む。
【００５１】
次に、ステップＳ２５において、「通常に使用されているネットワークサービス（グループ２）」が存在するか（メモリ部１４に記憶されているか）否かが判断される。具体的には、最も使用回数の多いネットワークサービス（サービスＧ）を使用比率１００％とした場合に、使用比率が２０％以上８０％未満のネットワークサービスが存在するか否かが判断される。そして、ステップＳ２５において、「通常に使用されているネットワークサービス（グループ２）」が存在する（メモリ部１４に記憶されている）と判断された場合には、ステップＳ２６に進み、「通常に使用されているネットワークサービス（グループ２）」を使用日時の古い順に並べて優先表示サービス配列テーブル１４ａ（図５参照）が作成される。本実施形態では、グループ１に属する３つのネットワークサービスＡ〜Ｃの後に、グループ２に属する２つのネットワークサービスＤおよびＥが、使用日時の古い順にネットワークサービスＤ、Ｅの順に並べられる。そして、ステップＳ２７に進む。
【００５２】
なお、使用回数の多いネットワークサービス（サービスＧ）を使用比率１００％とした場合に、使用比率が８０％以上のネットワークサービスが存在する（「頻繁に使用されているネットワークサービス（グループ３）」が存在する（メモリ部１４に記憶されている））場合には、グループ２に属する２つのネットワークサービスＤおよびＥの後に、グループ３に属する２つのネットワークサービスＦおよびＧがユーザの使用回数または使用日時に関わらず優先順位をつけずにランダムに（任意に）並べられる。
【００５３】
次に、ステップＳ２７において、ステップＳ２４およびステップＳ２６において作成された優先表示サービス配列テーブル１４ａに従ってネットワークサービスＡ〜Ｇに対応するアイコン１ｂを含むサービスメニュー画面１ａ（図３参照）が表示部１に一覧表示される。ここで、本実施形態では、７つのネットワークサービスＡ〜ＧのうちネットワークサービスＡ〜Ｃでは、ユーザの使用回数の少ない順にアイコン１ｂが表示され、ネットワークサービスＤおよびＥでは、ユーザの使用日時の古い順にアイコン１ｂが表示され、ネットワークサービスＦおよびＧでは、ユーザの使用回数または使用日時に関係なくランダムにアイコン１ｂが表示部１に一覧表示される。なお、サービスメニュー画面１ａの先頭（サービスメニュー画面１ａの左上）には、ユーザの使用回数の最も少ないネットワークサービスＡのアイコン１ｂが表示される。
【００５４】
また、ステップＳ２２において、優先表示サービス配列テーブル１４ａのグループ１に属する３つのネットワークサービスＡ〜Ｃの各々がサービスメニュー画面１ａの先頭（サービスメニュー画面１ａの左上）に表示されていない（一巡していない）と判断された場合には、ステップＳ２８に進む。そして、ステップＳ２８において、優先表示サービス配列テーブル１４ａに基づいて、現在サービスメニュー画面１ａの先頭（サービスメニュー画面１ａの左上）に表示されているネットワークサービスの次に使用回数の少ないネットワークサービスに対応するアイコン１ｂがサービスメニュー画面１ａの先頭（サービスメニュー画面１ａの左上）に表示される。つまり、最初にネットワークサービスＡがサービスメニュー画面１ａの先頭に表示されている場合には、次に使用回数の少ないネットワークサービスＢがサービスメニュー画面１ａの先頭（サービスメニュー画面１ａの左上）に表示される。
【００５５】
本実施形態では、上記のように、７つのネットワークサービスＡ〜Ｇに対するユーザの使用回数に基づいて、７つのネットワークサービスＡ〜Ｇの使用回数の少ない順に表示されるサービスメニュー画面１ａを表示部１に表示させることによって、７つのネットワークサービスＡ〜Ｇのうち利用頻度が低いと考えられる使用回数の少ないネットワークサービスＡ〜Ｃを目立つように表示部１に表示させることができるので、使用回数の少ないネットワークサービスＡ〜Ｃの認知度を向上させることができる。これにより、使用回数の少ないネットワークサービスＡ〜Ｃが選択されやすくなるので、利用頻度が低いと考えられるユーザの使用回数の少ないネットワークサービスＡ〜Ｃの利用を向上させることができる。
【００５６】
また、本実施形態では、上記のように、グループ１に属するネットワークサービスＡ〜Ｃをユーザの使用回数の少ない順に表示部１に表示させることによって、利用頻度が低いと考えられるユーザの使用回数の少ないグループ１に属するネットワークサービスＡ〜Ｃのうち最も使用回数の少ないネットワークサービスＡを目立つように表示部１に表示させることができるので、最も使用回数の少ないネットワークサービスＡの認知度を向上させることができる。
【００５７】
また、本実施形態では、上記のように、グループ２に属するネットワークサービスＤおよびＥをユーザの使用日時の古い順に表示部１に表示させることによって、ユーザの使用日時の古いグループ２に属するネットワークサービスＤおよびＥのうち最も使用していないと考えられる最も使用日時の古いネットワークサービスＤを目立つように表示部１に表示させることができるので、ユーザが最も使用していないと考えられる最も使用日時の古いネットワークサービスＤの認知度を向上させることができる。
【００５８】
また、本実施形態では、上記のように、グループ３に属するネットワークサービスＦおよびＧをユーザの使用回数または使用日時に関わらずランダムに表示部１に表示させることによって、グループ３に属するネットワークサービスＦおよびＧの各々に優先順位をつけることなく表示部１に表示させることができる。
【００５９】
また、本実施形態では、上記のように、グループ１に属するネットワークサービスＡ〜Ｃが存在すると判断した場合には、グループ１に属するネットワークサービスＡ〜Ｃをユーザの使用回数の少ない順に並べた優先表示サービス配列テーブル１４ａを作成して、優先表示サービス配列テーブル１４ａに従ってネットワークサービスＡ〜Ｃをユーザの使用回数の少ない順に表示部１に表示させることによって、優先表示サービス配列テーブル１４ａを用いることにより、容易にグループ１に属するネットワークサービスＡ〜Ｃのうち最も利用頻度が低いと考えられる最も使用回数の少ないネットワークサービスＡを目立つように表示部１に表示させることができる。
【００６０】
また、本実施形態では、上記のように、グループ１およびグループ２に属するネットワークサービスＡ〜Ｅが存在すると判断した場合には、グループ１に属するネットワークサービスＡ〜Ｃをユーザの使用回数の少ない順に並べた後に、グループ２に属するネットワークサービスＤおよびＥをユーザの使用日時の古い順に並べた優先表示サービス配列テーブル１４ａを作成して、優先表示サービス配列テーブル１４ａに従ってネットワークサービスＡ〜Ｅを表示部１に表示させることによって、優先表示サービス配列テーブル１４ａを用いることにより、容易に、グループ１に属するネットワークサービスＡ〜Ｃを使用回数の少ない順に並べた後に、グループ２に属するネットワークサービスＤおよびＥをユーザが最近使用していないと考えられる使用日時の古い順に並べて表示部１に表示させることができる。
【００６１】
また、本実施形態では、上記のように、グループ１に属するネットワークサービスＡ〜Ｃが存在しないと判断した場合には、グループ２に属するネットワークサービスＤおよびＥの使用日時の古い順に並べた優先表示サービス配列テーブル１４ａを作成して、優先表示サービス配列テーブル１４ａに従ってネットワークサービスＤおよびＥをユーザの使用日時の古い順に表示部１に表示させることによって、優先表示サービス配列テーブル１４ａを用いることにより、容易にグループ２に属するネットワークサービスＤおよびＥのうちユーザが最も使用していないと考えられる最も使用日時の古いネットワークサービスＤを目立つように表示部１に表示させることができる。
【００６２】
また、本実施形態では、上記のように、７つのネットワークサービスＡ〜Ｇに対するユーザの使用回数の少ない順または使用日時の古い順にサービスメニュー画面１ａの先頭からアイコン１ｂを一覧表示させることによって、７つのネットワークサービスＡ〜Ｇのうち最も使用回数の少ないネットワークサービスＡがサービスメニュー画面１ａの先頭に表示されるので、７つのネットワークサービスＡ〜Ｇのうち最も利用頻度が低いと考えられる使用回数の少ない方のネットワークサービスに対応するアイコン１ｂが目立つように表示部１に一覧表示させることができる。
【００６３】
また、本実施形態では、上記のように、グループ１に属する３つのネットワークサービスＡ〜Ｃのうち最もユーザの使用回数が少ないネットワークサービスＡをサービスメニュー画面１ａの先頭に表示させた後に、ユーザの操作によりサービスメニュー画面１ａが表示される毎に３つのネットワークサービスＡ〜Ｃのうち次にユーザの使用回数が少ないネットワークサービスＢ、Ｃを順次サービスメニュー画面１ａの先頭に表示させることによって、３つのネットワークサービスＡ〜Ｃのうち最もユーザの使用回数が少ないネットワークサービスＡのみならず、３つのネットワークサービスＡ〜Ｃのうち次にユーザの使用回数が少ないネットワークサービスＢおよびＣも目立つように表示部１に表示させることができる。
【００６４】
また、本実施形態では、上記のように、７つのネットワークサービスＡ〜Ｇの各々がユーザにより使用される毎に、使用されたネットワークサービスＡ〜Ｇ毎に使用回数を加算し、かつ、使用日時を更新してメモリ部１４に記憶させることによって、メモリ部１４に記憶されるネットワークサービスＡ〜Ｇの各々の使用回数および使用日時に基づいて、７つのネットワークサービスＡ〜Ｇをユーザの利用頻度が低いと考えられる使用回数の少ない順に並べるとともに、７つのネットワークサービスＡ〜Ｇをユーザが最近使用していないと考えられる使用日時の古い順に並べて表示部１に表示させることができる。
【００６５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６６】
たとえば、上記実施形態では、本発明のネットワーク機能付き映像受信機の一例を液晶テレビジョン装置により構成する例を示したが、本発明はこれに限られない。たとえば、図８に示す変形例のように、本発明のネットワーク機能付き映像受信機をＳＴＢ（Ｓｅｔ  Ｔｏｐ  Ｂｏｘ）４００により構成してもよい。なお、ＳＴＢ４００は、ケーブルテレビ放送や衛星放送などの放送信号を受信した後に、一般のテレビで視聴可能な信号に変換する装置である。この場合、図８に示す変形例の映像出力システム１０１のように、ＳＴＢ４００は、ＳＴＢ４００全体の制御を司る制御部４０１と、制御部４０１に接続されるとともにリモコン３００の赤外線発光部３０１と赤外線通信を行うための赤外線受光部４０２と、制御部４０１と接続されるとともにネットワークを介して外部のサービス業者による７つのネットワークサービスの提供を受けるためのネットワークドライバ４０３と、制御部４０１と接続された外部出力端子４０４と、制御部４０１と接続されるとともに７つのネットワークサービスに対するユーザの使用回数または使用日時を記憶させるためのメモリ部４０５とを含むように構成される。なお、メモリ部４０５は、本発明の「記憶部」の一例である。また、メモリ部４０５は、ユーザがサービスメニュー画面１ａ（図３参照）に表示される７つのネットワークサービスＡ〜Ｇのうちいずれかに対応するアイコン１ｂが決定操作（使用）される毎に、使用されたネットワークサービスＡ〜Ｇ毎に使用回数を１回分加算し、かつ、使用日時を更新して記憶するように構成されている。そして、メモリ部４０５に記憶されるユーザの使用回数および使用日時は、ネットワークサービスＡ〜Ｇの各々に対応付けられて優先表示サービス配列テーブル４０５ａとしてメモリ部４０５に記憶されるように構成されている。なお、優先表示サービス配列テーブル４０５ａ（図５参照）は、本発明の「優先表示サービス配列」の一例である。また、ＳＴＢ４００の制御部４０１は、上記実施形態の液晶テレビジョン装置２００の制御部４と同様の制御動作により、メモリ部４０５に記憶される７つのネットワークサービスＡ〜Ｇに対するユーザの使用回数または使用日時に基づいて、７つのネットワークサービスＡ〜Ｇを使用回数の少ない順または使用日時の古い順に並べるように構成される。そして、７つのネットワークサービスＡ〜Ｇを使用回数の少ない順または使用日時の古い順に並べられたサービスメニュー画面をＳＴＢ４００の外部出力端子４０４および液晶テレビジョン装置２００の外部入力端子６を介して液晶テレビジョン装置２００の表示部１に表示させてもよい。
【００６７】
また、上記実施形態では、本発明の複数のネットワークサービスの一例として７つのネットワークサービスＡ〜Ｇを示したが、本発明はこれに限られない。たとえば、７つのネットワークサービスＡ〜Ｇ以外に２つ以上６つ以下のネットワークサービスまたは８つ以上のネットワークサービスでもよい。
【００６８】
また、上記実施形態では、７つのネットワークサービスＡ〜Ｇのうち使用回数が最も多いネットワークサービスＧの使用回数に対する使用比率が０％以上２０％未満のネットワークサービスＡ〜Ｃをグループ１としてサービスメニュー画面１ａに表示させる例を示したが、本発明はこれに限られない。たとえば、７つのネットワークサービスＡ〜Ｇのうちユーザの使用回数が所定の回数（たとえば１０回）よりも少ないネットワークサービスを使用回数の少ない順に表示部１に表示させるように構成してもよい。これにより、特に使用回数の少ない場合にネットワークサービスを目立つように表示部１に表示させることが可能である。
【００６９】
また、上記実施形態では、本発明のネットワークサービスの提供を受けるための通信部の一例として、ネットワークドライバを示したが、本発明はこれに限らない。たとえば、ネットワークサービスの提供を受けることが可能な通信部であれば、ネットワークドライバ以外の通信部でもよい。
【００７０】
また、上記実施形態では、液晶テレビジョン装置の表示部に表示されるサービスメニュー画面を選択操作または決定操作するためにリモコンを用いる例を示したが、本発明はこれに限られない。たとえば、液晶テレビジョン装置本体にサービスメニュー画面を操作するための操作ボタンなどを設けてもよい。
【００７１】
また、上記実施形態では、本発明の第１のグループと第２のグループとを分ける第１のしきい値を２０％とし、第２のグループと第３のグループとを分ける第２のしきい値を８０％とする例を示したが、本発明はこれに限られない。本発明では、第１のグループと第２のグループとを分ける第１のしきい値が２０％以外のしきい値でもよいし、第２のグループと第３のグループとを分ける第２のしきい値が８０％以外のしきい値でもよい。
【符号の説明】
【００７２】
１  表示部
１ａ  サービスメニュー画面
７、４０３  ネットワーク通信部（通信部）
１１、４０１  制御部
１４、４０５  メモリ部（記憶部）
１４ａ、４０５ａ  優先表示サービス配列テーブル（優先表示サービス配列）
２００  液晶テレビジョン装置（ネットワーク機能付き映像受信機）
４００  ＳＴＢ（ネットワーク機能付き映像受信機）
【図１】
2011234219.tif 000003
【図２】
2011234219.tif 000004
【図３】
2011234219.tif 000005
【図４】
2011234219.tif 000006
【図５】
2011234219.tif 000007
【図６】
2011234219.tif 000008
【図７】
2011234219.tif 000009
【図８】
2011234219.tif 000010